(57)【要約】【課題】電波で電磁誘導を起こして電源部の電力を得ることができるリモートコントローラ装置を含む遠隔操作システムを提供する。【解決手段】電波発生装置Ｂからの電波が、リモートコントローラ装置Ａのコイル状のパターン２に届くと、電磁誘導によりコイル状のパターン２の両端から起電力が発生し、この起電力による電流は、ダイオード３，４により整流され、更に、この整流電流による電荷は大容量コンデンサ５に蓄積される。これにより、大容量コンデンサ５の両端からは直流電圧が出力され、この直流電圧は各構成要素の動作に必要な電源として供給される。したがって、リモートコントローラ装置Ａは動作可能状態になる。この構成により、リモートコントローラ装置Ａの大容量コンデンサ５は、電波発生装置Ｂからの電波により充電されるので、電池切れが生じるようなことがなくなり、使い勝手が良くなる。【選択図】図１
2009072043.tif 000002
【特許請求の範囲】
【請求項１】
商用交流電源を電源として動作し、予め定めた周波数の電波を発生する電波発生装置を備えると共に、前記電波発生装置からの電波を受信して電磁誘導により起電力を発生する電磁誘導手段と、この電磁誘導手段により発生した起電力による電流を整流する整流手段と、この整流手段からの整流電流による電荷を蓄積して直流電圧を出力する電荷蓄積手段とを有する電源部を含み構成され、光信号を送信して操作対象機器を遠隔操作するリモートコントローラ装置を備えたことを特徴とする遠隔操作システム。
【請求項２】
前記電磁誘導手段は、回路基板上に形成されたコイル状のパターンで構成されたことを特徴とする請求項１に記載の遠隔操作システム。
【請求項３】
前記電荷蓄積手段は、大容量コンデンサまたは二次電池で実現することを特徴とする請求項１に記載の遠隔操作システム。
【請求項４】
前記電波発生装置を前記操作対象機器に設けたことを特徴とする請求項１に記載の遠隔操作システム。
【請求項５】
一次電池を併用する構成の場合、電磁誘導が不可能な範囲での前記リモートコントローラ装置の使用時に、前記電荷蓄積手段に代わり、前記一次電池での駆動を可能にするように、前記電荷蓄積手段の電圧が所定電圧以下になったことを検出したときに、前記電源部の出力を前記電荷蓄積手段の出力から前記一次電池の出力へ切り換える電源出力切換手段を前記リモートコントローラ装置に設けたことを特徴とする請求項１に記載の遠隔操作システム。
【請求項６】
前記電荷蓄積手段の電圧が所定電圧以下になったことを検出したときに、発光素子を駆動させる発光素子駆動手段を前記リモートコントローラ装置に設けたことを特徴とする請求項１に記載の遠隔操作システム。
【発明の詳細な説明】
【技術分野】
【０００１】
本発明は、テレビジョン受像機や情報記録再生装置あるいはエアコンディショナなどの電気機器を遠隔操作するリモートコントローラ装置を含み構成される遠隔操作システムに関する。
【背景技術】
【０００２】
従来から、テレビジョン受像機や情報記録再生装置あるいはエアコンディショナなどの電気機器には、赤外線の操作信号を介して遠隔操作するリモートコントローラ装置が付属されている。このようなリモートコントローラ装置には、電源用の電池が内蔵されており、電池が消耗すると、送信ができなくなるので、新品の電池に交換することが必要である。
【０００３】
そこで、特許文献１に記載の従来のリモートコントローラ装置では、外部からの電波を受信する受信アンテナと、この受信アンテナの出力電圧により制御部を作動させる電源部とが設けられることによって、内部の電池を不要にして電池交換を無くしている。
【０００４】
また、特許文献２に記載の従来のリモートコントロール装置では、外部装置からの所定の光または電波を受信して整流平滑して、動作電源とすることによって内部の電池を不要にして電池交換を無くしている。
【特許文献１】特開２００４−１３５１３５号公報
【特許文献２】特開２００１−２８５９６０号公報
【発明の開示】
【発明が解決しようとする課題】
【０００５】
しかしながら、特許文献１に記載の従来のリモートコントローラ装置では、外部からの電波を受信する受信アンテナと、この受信アンテナの出力電圧により制御部を作動させる電源部とが設けられているが、電源部は、電波の弱い環境では、制御部を作動させるだけの電力を得ることが難しい場合がある。
【０００６】
また、特許文献２に記載の従来のリモートコントロール装置では、外部装置からの所定の光または電波を受信して整流平滑して動作電源としているが、アンテナで受信した信号を所定の周波数に同調させて電圧を出力する共振回路が必要となり、また、このような共振回路により取り出せる電圧はかなり小さいので、リモートコントロール装置を駆動させるだけの電力が得られるとは限らない。
【０００７】
本発明は、上記のような課題を解決するためになされたもので、電波で電磁誘導を起こして電源部の電力を得ることができるリモートコントローラ装置を含む遠隔操作システムを提供することを目的とする。
【課題を解決するための手段】
【０００８】
上記目的を達成するために、請求項１の発明は、商用交流電源を電源として動作し、予め定めた周波数の電波を発生する電波発生装置を備えると共に、前記電波発生装置からの電波を受信して電磁誘導により起電力を発生する電磁誘導手段と、この電磁誘導手段により発生した起電力による電流を整流する整流手段と、この整流手段からの整流電流による電荷を蓄積して直流電圧を出力する電荷蓄積手段とを有する電源部を含み構成され、光信号を送信して操作対象機器を遠隔操作するリモートコントローラ装置を備えたことを特徴とする遠隔操作システムを提供する。
【０００９】
この構成において、リモートコントローラ装置の電源部は、電波発生装置からの電波を電磁誘導手段で受信すると、起電力が電磁誘導手段から発生し、この起電力による電流が整流手段により整流される。この整流電流による電荷は電荷蓄積手段に蓄積され、直流電圧が電荷蓄積手段から出力される。
【００１０】
この構成によれば、電波で電磁誘導を起こして電源部の電力を得ることができるリモートコントローラ装置を提供できるので、内蔵の電池は不要となり、新品の電池交換も必要が無くなり、使い勝手が良くなる。
【００１１】
請求項２の発明では、請求項１の発明において、前記電磁誘導手段は、回路基板上に形成されたコイル状のパターンで構成されたので、電波がコイル状のパターンの全体に当たり、電波より電磁誘導がコイル状のパターンに生じて、コイル状のパターンの両端から起電力が発生し、電源部の出力電力を得ることができる。また、回路基板上に形成されたコイル状のパターンで電磁誘導手段を構成したことにより、リモートコントローラ装置の薄型化が可能となる。
【００１２】
請求項３の発明では、請求項１の発明において、前記電荷蓄積手段は、大容量コンデンサまたは二次電池で実現するので、電源部としては多くの電荷を蓄積でき、これにより、電源部の出力電力を出来るだけ長く安定させることができる。
【００１３】
請求項４の発明では、請求項１の発明において、前記電波発生装置を前記操作対象機器に設けたことを特徴とする。この構成の場合、リモートコントローラ装置の電荷蓄積手段は、操作対象機器に設けられている電波発生装置からの電波により充電されるので、電池切れが生じるようなことがなくなり、使い勝手が良くなる。
【００１４】
請求項５の発明では、請求項１の発明において、一次電池を併用する構成の場合、電磁誘導が不可能な範囲でのリモートコントローラ装置の使用時に、電荷蓄積手段に代わり、前記一次電池での駆動を可能にするように、電荷蓄積手段の電圧が所定電圧以下になったことを検出したときに、電源部の出力を電荷蓄積手段の出力から前記一次電池の出力へ切り換える電源出力切換手段をリモートコントローラ装置に設けたことを特徴とする。この構成の場合、コイル状のパターンに電磁誘導が不可能な範囲でのリモートコントローラ装置の使用時に、電荷蓄積手段に代わり、一次電池での駆動を可能にするように、リモートコントローラ装置の電源出力切換手段は、電荷蓄積手段の電圧が所定電圧以下になったことを検出したときに、電源部の出力を大容量コンデンサの出力から一次電池の出力へ切り換える。
【００１５】
請求項６の発明では、請求項１の発明において、前記電荷蓄積手段の電圧が所定電圧以下になったことを検出したときに、発光素子を駆動させる発光素子駆動手段をリモートコントローラ装置に設けたことを特徴とする。この構成の場合、電波発生装置からの電波がリモートコントローラ装置に届かず、または、電源発光装置に電源が入っていないことにより、電荷蓄積手段の電荷が無くなってくると、発光素子駆動手段は、発光素子を発光させるので、ユーザは、電波発生装置からの電波がリモートコントローラ装置に届かず、または、電源発光装置に電源が入っていないことにより、電荷蓄積手段の電荷が無くなってきていることに気付くことができ、使い勝手が良くなる。
【発明の効果】
【００１６】
以上のように本発明によれば、リモートコントローラ装置の電源部は、電波発生装置からの電波を電磁誘導手段で受信すると、起電力が電磁誘導手段から発生し、この起電力による電流が整流手段により整流され、整流電流による電荷は電荷蓄積手段に蓄積され、直流電圧が電荷蓄積手段から出力されるように構成されたので、電波で電磁誘導を起こして電源部の電力を得ることができるリモートコントローラ装置を提供でき、これにより、内蔵の電池は不要となり、新品の電池交換も必要が無くなり、使い勝手が良くなる。
【発明を実施するための最良の形態】
【００１７】
以下、添付図面を参照しつつ、本発明の実施の形態について説明する。図１は本発明の第１の実施形態に係る遠隔操作システムの構成を示すブロック図である。
【００１８】
図１において、この遠隔操作システムは、リモートコントローラ装置Ａと電波発生装置Ｂから構成されている。リモートコントローラ装置Ａは、電源部１、操作部６、制御部７、発振部８、および発光駆動部１３を備えている。
【００１９】
電源部１は、電波発生装置Ｂからの電波を受信して電磁誘導により起電力を発生する電磁誘導手段としてコイル状のパターン２と、このコイル状のパターン２により発生した起電力による電流を整流する整流手段としてのダイオード３，４と、これらのダイオード３，４からの整流電流による電荷を蓄積して直流電圧を出力する電荷蓄積手段としての大容量コンデンサ５とを含み構成されている。コイル状のパターン２は、例えば、両面回路基板の一方面にパターン形成することにより実現できる。
【００２０】
操作部６は、複数のキーを備えており、キーを押下すると、そのキーに対応する操作信号を制御部７に入力するものである。制御部７は、マイクロコンピュータなどで実現され、リモコンコントローラ装置Ａの全体を制御するものである。発振部８は、制御部７の動作に必要なクロック信号を生成するものである。発光駆動部１３は、抵抗９、トランジスタ１０、抵抗１１、および赤外線発光ダイオード１２から構成されている。
【００２１】
ここで、リモートコントローラ装置Ａにおける接続状態を説明する。コイル状のパターン２の内側端部は、ダイオード３のアノードと接続されている。コイル状のパターン２の外側端部は、ダイオード４のカソードと接続されている。ダイオード３のカソードは、大容量コンデンサ５の＋側端子、赤外線発光ダイオード１２のアノード、および制御部７の電源入力端子に接続されている。ダイオード４のアノードは、コンデンサ５の−側端子および接地に接続されている。
【００２２】
赤外線発光ダイオード１２のカソードは、抵抗１１を介してトランジスタ１０のコレクタに接続されている。トランジスタ１０のベースは、抵抗９を介して制御部７の発光制御出力端子に接続されている。したがって、制御部７の発光制御出力端子からハイレベル信号が出力されると、トランジスタ１０がオンすることにより、赤外線発光ダイオード１２に電流が流れ、赤外線発光ダイオード１２が発光し、制御部７の発光制御出力端子からロウレベル信号が出力されると、トランジスタ１０がオフすることにより、赤外線発光ダイオード１２には電流が流れず、赤外線発光ダイオード１２が消灯する。このような動作を利用することにより、操作部６の各種キーの操作に応答した各種操作信号に対応する各種の光パルス信号を、赤外線発光ダイオード１２から出射させることができる。
【００２３】
図２は図１中のコイル状のパターンが両面回路基板の裏面に形成された状態を示す図である。図２に示すように、両面回路基板Ｋの裏面には、コイル状のパターン２が形成され、パターン２の一端は、両面回路基板Ｋの表面のパターン２ａを介してスルーホールＨ２に接続され、パターン２の他端は、スルーホールＨ３に接続されている。このように、コイル状のパターン２を両面回路基板Ｋの裏面に形成することにより、電波を受けたときに、効率良く電磁誘導が生じ、コイル状のパターン２の両端から起電力を得ることができる。また、両面回路基板Ｋの表面には、リモートコントローラ装置Ａに備えられる各構成要素の部品が実装されるので、両面回路基板Ｋを効率良く使うことができる。また、コイル状のパターン２で電磁誘導手段を構成したことにより、リモートコントローラ装置Ａの薄型化が可能となる。
【００２４】
図３は図１中の電波発生装置の構成を示すブロック図である。図３において、電波発生装置Ｂは、商用交流電源２１に接続されたコンセント２２に接続される電源プラグ２３と、この電源プラグ２３より供給された例えばＡＣ１００Ｖの電圧を所定の電圧まで降圧する降圧回路２４と、この降圧回路２４から出力された交流電圧を整流して直流電圧に変換して後述する各回路に電源を供給する整流回路２５と、電波として空中伝播可能な所定の周波数で発振して発振信号を出力する発振回路２６と、この発振回路２６から出力された発振信号を増幅する増幅回路２７と、この増幅回路２７から出力された発振信号を電力増幅する電力増幅回路２８と、この電力増幅回路２８から出力された発振信号を電波として空中に伝播させるアンテナ２９とを備えている。なお、電波発生装置Ｂは、リモートコントローラ装置Ａをホールドするリモコンホルダとする構成も有する場合、リモートコントローラ装置Ａが使用されていないときは、リモートコントローラ装置Ａを電波発生装置Ｂにホールドさせておけば、リモートコントローラ装置Ａは電波の電界強度の大きい範囲に置かれることになるので、コイル状のパターン２には大きな起電力が発生し、大容量コンデンサ５は充電が早く完了する。
【００２５】
図４は図１中の操作対象機器の構成を示すブロック図である。図４において、操作対象機器Ｃは、リモートコントローラ装置Ａからの光信号を受光するフォトダイオード３１と、このフォトダイオード３１に流れる電流を検出することによりリモートコントローラ装置Ａからの光信号を受信する受信回路３２と、操作対象機器Ｃの各部を制御するマイクロコンピュータなどで実現される制御部３３と、この制御部３３により制御される装置各部３４とを備えている。
【００２６】
次に、図１〜図４を参照して、この第１の実施形態に係る遠隔操作システムの動作について説明する。
【００２７】
先ず、電波発生装置Ｂのアンテナ２９から電波を発生させるため、電波発生装置Ｂの電源プラグ２３を商用交流電源２１が接続されているコンセント２２に差し込み、電波発生装置Ｂを動作させる。これにより、アンテナ２９からは所定周波数の電波が空中に伝播される。
【００２８】
空中に伝播された電波は、リモートコントローラ装置Ａに設けられているコイル状のパターン２にも伝播されると、電磁誘導によりコイル状のパターン２の両端から起電力が発生し、この起電力による電流は、ダイオード３およびダイオード４により整流され、更に、この整流電流による電荷はコンデンサ５に蓄積される。これにより、コンデンサ５の両端からは直流電圧が出力され、この直流電圧は、リモートコントローラ装置Ａ内の各構成要素の動作に必要な電源として供給される。
【００２９】
したがって、リモートコントローラ装置Ａは動作可能状態になる。ここで、操作部６のキーが操作されると、制御部７は、そのキーの操作信号を入力することにより、キーの種別を判別し、判別したキーに対応するキーコード信号に従ってトランジスタ１０をオン／オフ動作させる。これにより、赤外線発光ダイオード１２がオン／オフ駆動し、赤外線の操作信号を操作対象機器Ｃに対して送信する。
【００３０】
操作対象機器Ｃでは、フォトダイオード３１が、リモートコントローラ装置Ａからの赤外線の操作信号を受光し、受信回路３２は、フォトダイオード３１に流れる電流を検出することにより、リモートコントローラ装置Ａからの操作信号を受信し、制御部３３は、その操作信号に応じた制御を装置各部３４に対して行う。
【００３１】
この第１の実施形態によれば、リモートコントローラ装置Ａの大容量コンデンサ５は、電波発生装置Ｂからの電波により充電されるので、電池切れが生じるようなことがなくなり、使い勝手が良くなる。
【００３２】
図５は本発明の第２の実施形態に係る遠隔操作システムの構成を示すブロック図である。図５において、図１に示す構成要素に相当するものには同一の符号を付し、その説明は省略する。
【００３３】
この第２の実施形態では、電波発生装置Ｂが操作対象機器Ｃに設けられている。電波発生装置Ｂが操作対象機器Ｃに設けられている場合、図３に示す電波発生装置Ｂの昇圧回路２４の入力側は、電源プラグ２３を介さずに、操作対象機器Ｃの交流電源入力ラインに接続される。したがって、操作対象機器Ｃの電源プラグが商用交流電源のコンセントに接続されているときは、電波発生装置Ｂは、動作しており、電波を発生しているので、リモートコントローラ装置Ａのコイル状のパターン２には起電力が発生し、大容量コンデンサ５は充電されることになり、リモートコントローラ装置Ａは、常に動作可能状態になっている。
【００３４】
この第２の実施形態によれば、リモートコントローラ装置Ａの大容量コンデンサ５は、操作対象機器Ｃに設けられている電波発生装置Ｂからの電波により充電されるので、電池切れが生じるようなことがなくなり、使い勝手が良くなる。
【００３５】
図６は本発明の第３の実施形態に係るリモコンコントローラ装置Ａ１の特徴とする構成を説明するための回路図である。図６において、図１に示す構成要素に相当するものには、同一の符号を付し、また、その他の構成要素は、図１に示すものと同じであるので、図示を省略する。
【００３６】
図６に示すリモートコントローラ装置Ａ１において、大容量コンデンサ５の＋側端子と制御部７１の電源端子との間に接続された出力ラインＬ１と、接地間に、スイッチ手段１４と一次電池１５との直列回路が接続されている。なお、スイッチ手段１４は、制御部７１からの電池接続信号により、オンされるようになっているが、このような動作を行うスイッチ手段１４をトランジスタ回路で実現しても良い。
【００３７】
この第３の実施形態は、一次電池１５を併用する場合のリモートコントローラ装置Ａ１の構成を示し、コイル状のパターン２に電磁誘導が不可能な範囲でのリモートコントローラ装置Ａ１の使用時に、大容量コンデンサ５に代わり、一次電池１５での駆動を可能にするように、リモートコントローラ装置Ａ１の制御部７１の電源出力切換手段は、大容量コンデンサ５の電圧が所定電圧以下になったことを検出したときに、電源部１の出力を大容量コンデンサ５の出力から一次電池１５の出力へ切り換える。
【００３８】
この第３の実施形態によれば、電波発生装置Ｂからの電波がリモートコントローラ装置Ａ１に届かず、大容量コンデンサ５の電荷が無くなっても、一次電池１５でリモートコントローラ装置Ａ１を駆動させることができるので、使い勝手が良くなる。
【００３９】
図７は本発明の第４の実施形態に係るリモコンコントローラ装置Ａ２の特徴とする構成を説明するための回路図である。図７において、図１に示す構成要素に相当するものには、同一の符号を付し、また、その他の構成要素は、図１に示すものと同じであるので、図示を省略する。
【００４０】
図７に示すリモートコントローラ装置Ａ２においては、大容量コンデンサ５の電圧が所定電圧以下になったことを検出したときに、発光素子としての発光ダイオード１６を駆動させる発光素子駆動手段をリモートコントローラ装置Ａ２の制御部７２に設けている。
【００４１】
この第４の実施形態によれば、電波発生装置Ｂからの電波がリモートコントローラ装置Ａ２に届かず、または、電源発光装置Ｂに電源が入っていないことにより、大容量コンデンサ５の電荷が無くなってくると、制御部７２の発光素子駆動手段は、発光ダイオード１６を発光させるので、ユーザは、電波発生装置Ｂからの電波がリモートコントローラ装置Ａ２に届かず、または、電源発光装置Ｂに電源が入っていないことにより、大容量コンデンサ５の電荷が無くなってきていることに気付くことができ、使い勝手が良くなる。
【００４２】
また、第５の実施形態として、図７で説明したように、大容量コンデンサ５の電圧が所定電圧以下になったことを検出したときに、発光素子としての発光ダイオード１６を駆動させる発光素子駆動手段をリモートコントローラ装置Ａ２の制御部７２に設け、図６で説明したスイッチ手段１４をユーザが操作できるように、リモートコントローラ装置Ａ２の操作面に設けた構成にすると、発光ダイオード１６が発光すると、大容量コンデンサ５の電荷が無くなってきたことになるので、ユーザはスイッチ手段１４をオンさせることにより、一次電池１５による電源に切り換えることができ、使い勝手が良くなる。
【００４３】
更に、第６の実施形態として、図５に示すように電波発生装置Ｂを操作対象機器Ｃに設けると共に、その電波発生装置Ｂとは別に、図１に示すように、もう一つ電波発生装置Ｂを外部に設ける構成にすれば、電波の有効範囲が拡大し、リモートコントローラ装置Ａの電源部１のコイル状のパターン２に届く電波の電界強度が増加し、大容量コンデンサ５に早く充電されると共に、電源部１の出力電力も大きくなり、リモートコントローラ装置Ａの連続操作可能時間を延ばすこともでき、使い勝手が向上する。
【００４４】
なお、以上説明した第１〜第６の実施形態では、電荷蓄積手段として大容量コンデンサを用いた構成について説明したが、電荷蓄積手段として充電可能な二次電池を用いても良い。
【産業上の利用可能性】
【００４５】
本発明は、操作対象機器を遠隔操作するリモートコントローラ装置に利用可能である。
【図面の簡単な説明】
【００４６】
【図１】本発明の第１の実施形態に係る遠隔操作システムの構成を示すブロック図である。
【図２】図１中のコイル状のパターンが両面回路基板の裏面に形成された状態を示す図である。
【図３】図１中の電波発生装置の構成を示すブロック図である。
【図４】図１中の操作対象機器の構成を示すブロック図である。
【図５】本発明の第２の実施形態に係る遠隔操作システムの構成を示すブロック図である。
【図６】本発明の第３の実施形態に係るリモコンコントローラ装置の特徴とする構成を説明するための回路図である。
【図７】本発明の第４の実施形態に係るリモコンコントローラ装置の特徴とする構成を説明するための回路図である。
【符号の説明】
【００４７】
Ａ，Ａ１，Ａ２    リモートコントローラ装置
Ｂ    電波発生装置
Ｃ    操作対象機器
Ｋ    両面回路基板（回路基板）
１    電源部
２    コイル状のパターン（電磁誘導手段）
３，４ダイオード（整流手段）
５    大容量コンデンサ（電荷蓄積手段）
１６    発光ダイオード（発光素子）
７１    制御部（電源出力切換手段）
７２    制御部（発光素子駆動手段）
【図１】
2009072043.tif 000003
【図２】
2009072043.tif 000004
【図３】
2009072043.tif 000005
【図４】
2009072043.tif 000006
【図５】
2009072043.tif 000007
【図６】
2009072043.tif 000008
【図７】
2009072043.tif 000009